(57)【要約】      （修正有）【課題】座位姿勢を矯正して腰痛・関節痛・肩こりを軽減する座面形状を有する座板を提供する。【解決手段】一方の主面１１の一部に座面を有する座板１であって、座面が、懸垂面で形成されていることを特徴とする。座板は、木材又はプラスチック樹脂で形成されていてもよい。また、座板は、座板よりも柔らかいシート材が一方の主面１１に積層されていてもよい。また、座板１は、他方の主面１２に滑り止め具を有していてもよい。【選択図】図１
0003207492.tif 000002
【実用新案登録請求の範囲】
【請求項１】
一方の主面に座面を有する座板であって、
前記座面は、懸垂面で形成されている
ことを特徴とする座板。
【請求項２】
前記座板は、木材又はプラスチック樹脂で形成されている
ことを特徴とする請求項１に記載の座板。
【請求項３】
前記座板は、前記座板よりも柔らかいシート材が前記一方の主面に積層されている
ことを特徴とする請求項１又は２に記載の座板。
【請求項４】
前記座板は、他方の主面に滑り止め具を有している
ことを特徴とする請求項１から３までのいずれか１項に記載の座板。
【考案の詳細な説明】
【技術分野】
【０００１】
本考案は、座位姿勢を矯正し、腰痛・関節痛・肩こりを軽減する座面形状を有する座板に関する。
【背景技術】
【０００２】
近年、パソコンは事業活動において不可欠なツールとなり、パソコンを使用したデスクワークに従事する人が大勢いる。また、家庭においてもパソコンを使用してインターネットに接続して情報収集・情報発信する人が多くいる。これらの人の多くは椅子に座り作業を行っているため、長時間椅子に座っていることも少なくない。また、従来から、家庭や教育現場等における学習者も机に向かって椅子に座り学習することが大半であり、長時間椅子に座っていることが多い。
【０００３】
このように、近年、活動時間中において椅子に座っている時間の占める割合が増加している。また、パソコンを使用する場合には、腕の位置と机の高さの不釣り合いから肩に不必要な力が入る場合が多く、また、画面を注視するあまりに頭が体の前方に傾いて首や肩に負担がかかる場合が多い。これらが一因となり、肩こりや腰痛で悩む人が多く、特にデスクワークに従事している時間が長い人ほど肩こりや腰痛の症状を訴える傾向にある。
【０００４】
平成１６年度に厚生労働省が国民生活基礎調査を行った結果によると、２８万世帯７２万人に依頼し、２２万世帯で得られた回答の中で、「最も気になる症状」の質問に対する回答の５５％が腰痛であり、２番目に関節の痛み、３番目に肩こりであった。このことから、二人に一人は腰痛が気になっていると考えられる。そのため、長時間座位姿勢をとることによる疲れを軽減し、かつ腰痛・関節の痛み・肩こりを引き起こさないように座位姿勢を矯正できることが望まれていた。
【０００５】
この点、特許文献１には、カイロプラクティックによって仙骨の歪みを矯正する施術の代替手段として、座面の上面の前後方向の中心線上に突条と、突条の中間点よりやや後方に、先端が硬質の材料で形成され、半球殻状で表面が円滑な一片の棒状の指圧片とを設け、座面の上面の後端部に起立片を突設する指圧器を開示している。
【０００６】
また、特許文献２には、正座をした時と同じ安定感を得ることを目的として、正座の姿勢時における荷重支持点である軟着接触部を左右各３つの隆起部として設け、当該左右各３つの隆起部の間に位置する座面中央部分に凹部を形成する椅子用座板を開示している。
【先行技術文献】
【特許文献】
【０００７】
【特許文献１】特開昭６２−２０７４５９号公報
【特許文献２】特開２００１−４６１６９号公報
【考案の概要】
【考案が解決しようとする課題】
【０００８】
しかしながら、特許文献１に係る考案は、あくまでも指圧器であり、カイロプラクティックによる施術の代替であるため、座位姿勢そのものを矯正するものでもなく、また、長時間座って作業する環境に対応するものでもない。また、特許文献２に係る考案は、正座の座り心地を実感させることはできるが、長時間座って作業する環境に必ずしも対応しているとは言えない。
【０００９】
このように、特許文献１及び２にみられる考案は、座位姿勢を矯正し、腰痛・関節痛・肩こりを軽減するものとはいい難いものであった。
【００１０】
そこで、本考案は、以上の課題に鑑みなされたものであり、座位姿勢を矯正して腰痛・関節痛・肩こりを軽減する座面形状を有する座板を提供することを目的とする。
【課題を解決するための手段】
【００１１】
（１）  本考案の第一の態様は、一方の主面に座面を有する座板であって、前記座面は、懸垂面で形成されていることを特徴とする座板である。
【００１２】
（２）  上記（１）の態様において、前記座板は、木材又はプラスチック樹脂で形成されていてもよい。
【００１３】
（３）  上記（１）又は（２）の態様において、前記座板は、前記座板よりも柔らかいシート材が前記の一方の主面に積層されていてもよい。
【００１４】
（４）  上記（１）から（３）のいずれか１つの態様において、前記座板は、他方の主面に滑り止め具を有していてもよい。
【考案の効果】
【００１５】
本考案によれば、座位姿勢を矯正して腰痛・関節痛・肩こりを軽減する座面形状を有する座板を提供することができる。
【図面の簡単な説明】
【００１６】
【図１】本考案の実施形態１の座板の斜視図である。
【図２】（ａ）は本考案の実施形態１の座板の平面上面図である。（ｂ）は(ａ)におけるＡ−Ａ断面図である。（ｃ）は（ａ）におけるＢ−Ｂ断面図である。
【図３】（ａ）は本考案の実施形態１の座板に座ったときの座圧分布を時間経過ごとに示した模式図である。(ｂ)は一般的な平面の座板に座ったときの座圧分布を時間経過ごとに示した模式図である。
【図４】本考案の実施形態１の座板の官能評価の結果を示す図である。
【図５】（ａ）は本考案の実施形態２の座板の平面上面図である。（ｂ）は(ａ)におけるＣ−Ｃ断面図である。（ｃ）は（ａ）におけるＤ−Ｄ断面図である。
【図６】本考案の実施形態３の座板であって、ブラスチック樹脂で形成されている座板の斜視図で、（ａ）は座板の一方の主面の斜視図であり、（ｂ）は座板の他方の主面の斜視図である。
【図７】（ａ）は本考案の実施形態３の座板の平面上面図である。（ｂ）は（ａ）におけるＥ−Ｅ断面図である。（ｃ）は（ａ）におけるＦ−Ｆ断面図である。
【考案を実施するための形態】
【００１７】
以下、本考案を実施するための形態（実施形態１から３）について、図面を参照しながら詳細に説明する。
【００１８】
なお、実施形態の説明の全体を通じて同じ要素には同じ符号を付して説明する。また、以下において、実施形態１から３の座板１に着座するときは、座板１を椅子に設置して着座する態様を示すが、座板１を設置する場所や着座する態様に特に制限はなく、座板１を床上に設置して胡坐や体育座りや長座位で着座する態様で使用してもよく、ベッド上に設置して端座位や半座位で着座する態様で使用してもよい。
【００１９】
また、主面とは、正投影法における座板１の正面、背面、左側面、右側面、平面及び底面の六面において、面積が最大の面であって、１８０度で対となる両面をいう。そして、Ｘ軸とは、座板１の主面における長手方向を意味し、Ｙ軸とは座板１における短手方向を意味し、Ｚ軸とは、座板１の主面の高さ方向を意味する。
【００２０】
図１は、実施形態１の座板１の斜視図である。
【００２１】
実施形態１の座板１は一方の主面１１に座面を有し、座面を懸垂面で形成している。他方の主面１２は、平滑な面であってもよい。
【００２２】
図２（ａ）は、図１に係る実施形態１の座板１の一方の主面１１の平面上面図であり、（ｂ）は（ａ）におけるＡ−Ａ断面図であり、（ｃ）は（ａ）におけるＢ−Ｂ断面図である。
【００２３】
図２（ｂ）に示すように、図２（ａ）におけるＡ−Ａ断面において、座板１の一方の主面１１に形成される懸垂面の懸垂曲線１３が現れる。当該懸垂曲線１３を、Ｘ軸を回転軸として３６０度回転させると、懸垂面を得ることができる。
【００２４】
図２（ｃ）に示すように、図２（ａ）におけるＢ−Ｂ断面においては、懸垂曲面１４が現れる。
【００２５】
懸垂面は、種々の方法で、座板１の一方の主面１１に形成することができる。
【００２６】
座板１は、木材又はプラスチック樹脂で形成することが好ましく、プラスチック樹脂で
形成してもよい。木材であると、木面の触感を備えるため手触りの点で優れているが、平板の木材に懸垂面を形成しなければならず、座板１を量産することが困難である。プラスチック樹脂であると、懸垂面を形成した金型を作成することで、本考案の座板１を容易に量産することができる。
【００２７】
実施形態１においては、座板１の一方の主面１１の長手方向の寸法を３４０ｍｍ程度、短手方向の寸法を２４５ｍｍ程度とした。また、図２（ａ）のＡ−Ａ断面における両端部の高さを３６ｍｍ程度、図２（ａ）のＡ−Ａ断面における中央の高さを２４ｍｍ程度とした。また、図２（ａ）のＢ−Ｂ断面における両端部の高さを９ｍｍ程度とした。
【００２８】
以上のとおり、実施形態１の座板１を、座板１の短手方向の中央部を下に凸型の懸垂曲線１３とし、座板１の長手方向の中央部は上に凸型の懸垂曲面１４とすることで、着座者の脚部と臀部を圧迫せず、着座者の左右の座骨に点に近い形で接触する形状とすることができる。
【００２９】
（座圧分布の時間経過ごとの測定結果）
実施形態１の座板１に着座した際の座圧分布の経時変化を測定した。測定結果を、着座直後（０分後）・５分後・１０分後・１５分後・２０分後ごとに取り出した模式図が図３（ａ）である。大きいドットが密集している箇所が最大座圧部分であり、ドットが密集しているほど座圧強度が大きい。なお、座圧分布の測定は、神奈川工科大学創造工学部高橋勝美教授研究室により実施されたものである。
【００３０】
（官能評価）
実施形態１の座板１に３０名に着座してもらい、座り心地・座りやすさ・姿勢の安定性・座面の温かさ・身体の痛みの無さ・長時間の座位姿勢保持可能性の６項目について、肯定の最高評価を５、否定の最低評価を１として、回答してもらった。回答結果の平均をとって表した図が図４である。
【００３１】
図３（ａ）において、大きいドットが密集している最大座圧部分が略円状に小さく２点ある。この２点は、左右の座骨と座板１の懸垂面が形成されている一方の主面１１との接触点を示している。これにより、座面の短手方向の中央部に座ると、左右の座骨が懸垂面上に点に近い形で接触して固定される。
【００３２】
そのため、実施形態１の座板１に着座すると、座骨が限りなく点に近い座位となり、左右の座骨が安定することになる。
【００３３】
図４の官能評価において、実施形態１の座板１に着座した場合、座り心地・座りやすさ・姿勢の安定性について、４以上の評価となった。そのため、図４の官能評価の結果からも、実施形態１の座板１に着座すると、左右の座骨が安定し、座骨が限りなく点に近い座位となり、左右の座骨が安定することから、座り心地・座りやすさ・姿勢の安定性が良好な座板１であることが分かる。
【００３４】
また、座圧分布は最大座圧部分から略同心円状に過疎化している。これにより、上半身の重力によって骨盤が横に開き座圧が拡散することを防止し、骨盤腸骨が緩やかに締まり、仙腸関節部位が整う。
【００３５】
そのため、実施形態１の座板１に着座していると、無意識のうちに体幹が整い、座位姿勢を矯正して腰痛・関節痛・肩こりを軽減することができる。
【００３６】
図４の官能評価において、実施形態１の座板１に着座した場合、身体の痛みの無さについて、４以上の評価となった。そのため、図４の官能評価の結果からも、実施形態１の座板１に着座すると、無意識のうちに体幹が整い、座位姿勢を矯正して腰痛・関節痛・肩こりを軽減することができ、長時間の座位姿勢でいることの心理的負担を軽減し得ることがわかる。
【００３７】
また、図３（ａ）において、実施形態１の座板１に着座した直後と２０分後において、大きいドットが密集している最大座圧部分の面積に大きな変化がない。また、最大座圧部分から略同心円状に過疎化しているドットの大きさと面積にも大きな変化がないことから、最大座圧部分と座圧分布の全体の面積にも大きな変化がない。これにより、左右座骨の２点で着座できることによって、座骨周辺の血流を阻害する要因を最小限とすることができる。
【００３８】
次に、実施形態１の座板１と比較するために、座板を、長手方向の長さ３４０ｍｍ、短手方向の長さ２４５ｍｍ、高さ４０ｍｍの平板として形成した比較例１について、着座した際の座圧分布の経時変化を測定した。測定結果を、着座直後（０分後）・５分後・１０分後・１５分後・２０分後ごとに取り出した模式図が図３（ｂ）である。大きいドットが密集している箇所が最大座圧部分であり、ドットが密集しているほど座圧強度が大きい。
【００３９】
図３（ｂ）において、大きいドットが密集している最大座圧部分は、実施形態１の座板１と異なり、楕円上に大きく分布している。そのため、座面が平板である座板では、左右の座骨が不安定となってしまい、長時間の座位姿勢でいることの心理的負担が生じやすくなってしまう。
【００４０】
また、座圧が臀部だけでなく脚にも分布している。そのため、上半身の重力によって骨盤が横に開き座圧が拡散し、座位姿勢を歪曲させ得る。
【００４１】
また、座圧分布の経時変化において、最大座圧部分が時間経過とともに拡大している。そのため、座骨周辺の血流が阻害されている。
【００４２】
次に、本考案の他の実施形態（実施形態２）について、図面を参照しながら詳細に説明する。
【００４３】
図５（ａ）は、実施形態２の座板１の一方の主面１１の平面上面図であり、図５（ｂ）は、図５(ａ)におけるＣ−Ｃ断面図であり、図５（ｃ）は図５（ａ）におけるＤ−Ｄ断面図である。
【００４４】
実施形態２の座板１においては、実施形態１の座板１の一方の主面１１に、座板１よりも柔らかいシート材２１が積層されている。シート材２１は、例えば低反発ウレタンフォーム、ポリエステル等の合成樹脂を基材とするシート材や、綿布や毛布等としてもよい。
【００４５】
実施形態２の座板１においては、実施形態１の座板１の他方の主面１２に滑り止め具２２を有している。滑り止め具２２は、図５（ａ）及び図５（ｂ）に示すように、座板１の他方の主面１２の外縁上に設置してもよく、座板１の他方の主面１２の一面にわたって設置してもよい。また、滑り止め具２２を、格子状、ドット状等のパターンに形成してもよい。
【００４６】
滑り止め具２２は、シリコーン、ウレタン、スチレン系エラストマー、オレフィン系エラストマー等の合成樹脂や、天然ゴム等としてもよい。
【００４７】
なお、座板１は、シート材２１と滑り止め具２２を両方備えているが、いずれか一方のみを備えていてもよい。
【００４８】
以上のとおり、実施形態２の座板１によれば、座板１よりも柔らかいシート材２１が一方の主面１１に積層されているので、断熱性が向上する。そのため、図４の官能評価の結果において、本考案の実施形態１の座板１では３近辺の評価であった座面の温かさを改善することができる。また、実施形態２の座板１によれば、座板１よりも柔らかいシート材２１が一方の主面１１に積層され、滑り止め具が他方の主面１２に設けられているので、長時間の座位姿勢でいることの負担を軽減し、座板１を椅子に固定しやすくする。そのため、図４の官能評価の結果において、本考案の実施形態１の座板１では３近辺の評価であった長時間の座位姿勢保持可能性を改善することができる。
【００４９】
次に、本考案の他の実施形態（実施形態３）について、図面を参照しながら詳細に説明する。
【００５０】
図６は、実施形態３の座板１の斜視図で、（ａ）は座板１の一方の主面１１の斜視図であり、（ｂ）は座板１の他方の主面１２の斜視図である。
【００５１】
実施形態３の座板１は一方の主面１１に座面を有し、座面を懸垂面で形成している。
【００５２】
実施形態３の座板１は、プラスチック樹脂で形成された座板１である。
【００５３】
実施形態３の座板１において、座板１の外周を薄肉部３１（肉盗み部）としてもよく、座板１の短手方向の両端部を薄肉部３１としてもよい。薄肉部３１の厚さは特に制限はなく、短手方向又は長手方向の寸法は特に制限はない。また、薄肉部３１の底面における形状は特に制限はなく、矩形状、楕円状、波形状等でもよい。
【００５４】
また、座板１の長手方向の両端部を面取り部３２としてもよい。面取り部３２の形状は、特に制限はなく、平面、球面、楕円面等でもよい。
【００５５】
図７（ａ）は、図６に係る実施形態３の座板１の一方の主面１１の平面上面図であり、（ｂ）は（ａ）におけるＥ−Ｅ断面図であり、（ｃ）は（ａ）におけるＦ−Ｆ断面図である。
【００５６】
図７（ｂ）に示すように、図７（ａ）におけるＥ−Ｅ断面において、座板１の一方の主面１１に形成される懸垂面の懸垂曲線１３が現れる。当該懸垂曲線１３を、Ｘ軸を回転軸として３６０度回転させると、懸垂面を得ることができる。
【００５７】
図７（ｃ）に示すように、図７（ａ）におけるＦ−Ｆ断面においては、懸垂曲面１４が現れる。
【００５８】
懸垂面は、種々の方法で、座板１の一方の主面１１に形成することができる。
【００５９】
実施形態３の座板１の一方の主面１１に種々の模様を形成してもよい。例えば、一方の主面１１を白色以外に着色し、一方の主面１１に短手方向に等間隔に延在する白色の矩形状の模様を長手方向に縞模様のパターンで形成してもよい。
【００６０】
実施形態３においては、座板１の一方の主面１１の長手方向の寸法を３４０ｍｍ程度、短手方向の寸法を２４５ｍｍ程度とした。また、図７（ａ）のＥ−Ｅ断面における両端部の高さを３６ｍｍ程度とし、図２（ａ）のＥ−Ｅ断面における中央の高さを２４ｍｍ程度とした。また、図７（ａ）のＦ−Ｆ断面における両端部の高さを９ｍｍ程度とした。
【００６１】
また、実施形態３の座板１においては、座板１の短手方向の両端部に薄肉部３１を設け、薄肉部３１の厚さを５ｍｍ程度とし、短手方向の寸法を２０ｍｍ程度とし、薄肉部３１の底面における形状を矩形状とした。また、実施形態３の座板１においては、座板１の長手方向の両端部に面取り部３２を設け、面取り部３２の形状を座板１の中央に凸型の楕円面とし、図７（ａ）のＥ−Ｅ断面における長手方向の寸法を６０ｍｍとした。
【００６２】
以上のとおり、実施形態３の座板１によれば、プラスチック樹脂の使用量を低減することで、軽量化及びコストダウンをすることができる。また、これにより、座板１に台座３３を設けることができ、長手方向の中央部及び短手方向の中央部付近において一方の主面１１を支持することで、着座者の前後の動きに対する座板１の揺動を防止し、座板１を安定させることができる。また、これにより、台座３３がない箇所である、薄肉部３１や面取り部３２を座板１の持ち手部分とすることができ、座板１の取扱性を向上させることができる。
【００６３】
なお、座板１の短手方向及び長手方向の両端部に薄肉部３１を設け、薄肉部３１の厚さを５ｍｍとし、座板１の短手方向及び長手方向の両端部の短手方向及び長手方向の寸法を２０ｍｍとしてもよい。これにより、プラスチック樹脂の使用量をさらに低減させることができる。
【００６４】
また、実施形態３において、座板１の一方の主面１１を白色以外とし、短手方向に延在する白色の略矩形状の模様を、長手方向に縞模様のパターンで設けて、模様全体として、一方の主面１１の懸垂面の外形と相似形としてもよい。これにより、座板１に懸垂面が形成されていることを明確にし、懸垂面に着座することで、左右の座骨の２点で安定して着座できることを示唆することができる。
【符号の説明】
【００６５】
１    座板
１１  一方の主面
１２  他方の主面
１３  懸垂曲線
１４  懸垂曲面
２１  シート材
２２  滑り止め具
３１  薄肉部（肉盗み部）
３２  面取り部
３３  台座
【図１】
0003207492.tif 000003
【図２】
0003207492.tif 000004
【図３】
0003207492.tif 000005
【図４】
0003207492.tif 000006
【図５】
0003207492.tif 000007
【図６】
0003207492.tif 000008
【図７】
0003207492.tif 000009